(57)【要約】【課題】冷ケースに使用し、商品名や値段等を表示する表示部材を取り付けるための支持具であって、冷ケース内の収納空間を減少させることがなく、また、該表示部材を確実に固定して表示することができる支持具を提供する。【解決手段】冷ケース用支持具Ａは、台座状部２０と、穴部３６を有する支柱部３０とからなる本体部１０と、台座状部２０に連設された接続部６０と該接続部６０から連設された掛止部７０とからなる取付け部５０とを有している。この取付け部５０は、冷ケースにおける吸気孔等の長穴状の孔部に取り付けられるようになっていて、穴部３６には、表示部材を取り付けるための部材を差し込むことができるようになっている。【選択図】　　　　図１
2004081362.tif 000002
【特許請求の範囲】
【請求項１】
冷ケースに設けられた孔部に取り付けて使用する冷ケース用支持具であって、
棒状部材を支持する支持手段を有する本体部と、
該本体部の下側に連設された取付け部であって、該本体部の下側から連設された接続部と、該接続部から連設された脱落防止部で、該脱落防止部の上面の少なくとも一部が該本体部の下面と間隔を介して対向している脱落防止部と、を有する取付け部と、
を有することを特徴とする冷ケース用支持具。
【請求項２】
上記脱落防止部が、横長形状を呈することを特徴とする請求項１に記載の冷ケース用支持具。
【請求項３】
上記本体部に、上記脱落防止部の方向を指示する方向指示手段が設けられていることを特徴とする請求項２に記載の冷ケース用支持具。
【請求項４】
上記支持手段が、上記本体部に設けられた穴部であることを特徴とする請求項１又は２又は３に記載の冷ケース用支持具。
【請求項５】
上記取付け部における脱落防止部は横長形状を呈し、該脱落防止部の平面視における長手方向の長さは、冷ケースに設けられた長穴状の孔部の長手方向の幅以下の大きさを有するとともに、該長穴状の孔部の幅よりも大きい大きさを有し、該取付け部における接続部の平面視における幅は、該長穴状の孔部の短手方向の幅以下の大きさを有していて、
該冷ケース用支持具における取付け部を該孔部に挿通した状態で該冷ケース用支持具を回転させることにより、本体部の下面と脱落防止部の上面とで孔部が設けられた部材を挟んだ状態となることにより、冷ケース用支持具が該孔部に取り付けられるように構成されていることを特徴とする請求項１又は２又は３又は４に記載の冷ケース用支持具。
【請求項６】
冷ケースに設けられた孔部に取り付けて使用する冷ケース用支持具であって、
台座状部と、該台座状部の上側に連設された支柱部で、棒状部材を支持するための穴部を有する支柱部と、を有する本体部と、
該本体部の下側に連設された取付け部であって、該本体部の下側から連設された接続部と、該接続部から連設された横長形状の脱落防止部で、該脱落防止部の上面の少なくとも一部が該本体部の下面と間隔を介して対向している脱落防止部と、を有する取付け部と、
を有し、
該本体部には、脱落防止部の方向を指示する方向指示手段が設けられていることを特徴とする冷ケース用支持具。
【請求項７】
上記方向指示手段が、上記支柱部の側面の両側に設けられた突状部で、上記脱落防止部の長手方向と同じ方向に向けて設けられた突状部であることを特徴とする請求項６に記載の冷ケース用支持具。
【請求項８】
上記取付け部における脱落防止部は横長形状を呈し、該脱落防止部の平面視における長手方向の長さは、冷ケースに設けられた長穴状の孔部の長手方向の幅以下の大きさを有するとともに、該長穴状の孔部の幅よりも大きい大きさを有し、該取付け部における接続部の平面視における幅は、該長穴状の孔部の短手方向の幅以下の大きさを有していて、
該冷ケース用支持具における取付け部を該孔部に挿通した状態で該冷ケース用支持具を回転させることにより、本体部の下面と脱落防止部の上面とで孔部が設けられた部材を挟んだ状態となることにより、冷ケース用支持具が該孔部に取り付けられるように構成されていることを特徴とする請求項６又は７に記載の冷ケース用支持具。
【請求項９】
商品の商品名や値段等を表示する表示部材を支持する表示部材支持具であって、
請求項４又は６又は７又は８に記載の冷ケース用支持具と、
該冷ケース用支持具における本体部に設けられた穴部に挿通可能な差込み部を有し、該表示部材を固着可能な被支持部材と、
を有することを特徴とする表示部材支持具。
【発明の詳細な説明】
【０００１】
【発明の属する技術分野】
本発明は、コンビニエンスストア等において使用される冷ケースに使用する支持具で、商品名や値段を表示した表示部材を取り付けるための支持具に関するものである。
【０００２】
【従来の技術】
従来より、飲料、野菜、鮮魚、精肉等の冷蔵食品は、コンビニエンスストアやスーパーマーケットにおいて陳列用の冷ケース内に陳列されている。
【０００３】
この冷ケースＲの一例の外観を示すと、図７のように構成されていて、手前側が開口したケース状を呈し、収納部Ｓが設けられている。この冷ケースの上部には、冷気ガスを吹き出すための吹出し口３００が設けられ、また、収納部Ｓの手前側の端部には、吸気孔２１０が設けられている。そして、この吹出し口３００から冷気ガスを吹き出し、吹き出された冷気ガスを該吸気孔２１０により吸気して、冷気ガスを循環させて冷気ガスによりエアーカーテンを形成して、保冷効果を高めている。
【０００４】
このような構成の冷ケースＲにおいて、陳列される商品の商品名や値段を表示するには、冷ケースＲの収納部Ｓ内に立てて使用するスタンドポップが用いられていた。
【０００５】
【発明が解決しようとする課題】
しかし、冷ケースの収納部内に立てて使用するスタンドポップの場合には、収納部内に置かれるために、収納部内の所定のスペースを占めてしまい、商品の収納空間を減少させてしまうという問題があった。また、冷ケースの収納部内に立てて使用するスタンドポップの場合には、該スタンドポップが自立型であるため、スタンドポップが倒れてしまうという問題があった。
【０００６】
そこで、本発明は、冷ケースに使用し、商品名や値段等を表示する表示部材を取り付けるための支持具であって、冷ケース内の収納空間を減少させることがなく、また、該表示部材を確実に固定して表示することができる支持具を提供することを目的とするものである。
【０００７】
【課題を解決するための手段】
本発明は上記問題点を解決するために創作されたものであって、第１には、冷ケースに設けられた孔部に取り付けて使用する冷ケース用支持具であって、棒状部材を支持する支持手段を有する本体部と、該本体部の下側に連設された取付け部であって、該本体部の下側から連設された接続部と、該接続部から連設された脱落防止部で、該脱落防止部の上面の少なくとも一部が該本体部の下面と間隔を介して対向している脱落防止部と、を有する取付け部と、を有することを特徴とする。
【０００８】
この第１の構成の冷ケース用支持具においては、取付け部を冷ケースにおける吸気孔等の孔部（例えば、吸気孔）に挿通し、冷ケース用支持具を回転させる。すると、本体部の下面と脱落防止部の上面とで孔部が設けられた部材を挟んだ状態となって、冷ケース用支持具が孔部に取り付けられる。なお、冷ケース用支持具を孔部に取り付けた状態では、接続部は孔部内に挿通した状態となっている。なお、該接続部は、本体部と脱落防止部とを接続するものである。このようにして、冷ケース用支持具の孔部への取付けが完了したら、本体部の支持手段により棒状部材を支持させる。この棒状部材は、例えば、商品の商品名や値段等を表示する表示部材を支持可能な部材（これが冷ケース用支持具により支持される被支持部材となる）の一部とする。そして、該部材に表示部材を支持させることにより、商品名や値段等を表示させる。よって、冷ケースにおける孔部、特に、冷気ガスの吸気孔を利用して、商品名や値段等を表示した表示部材を取り付けることができるので、冷ケースの収納部のスペースを減少させることがない。また、本体部の下面と脱落防止部の上面とで孔部が設けられた部材を挟んだ状態となって取り付けられるので、確実に固定することができ、冷ケース用支持具に支持される部材も確実に支持することができる。また、本発明の冷ケース用支持具によれば、冷ケース用支持具における取付け部を孔部に挿入した後に、冷ケース用支持具を回転させるのみで孔部への設置が可能であるので、容易に設置することができる。
【０００９】
なお、第１の構成を以下のようにしてもよい。つまり、「冷ケースに設けられた孔部に取り付けて使用する冷ケース用支持具であって、棒状部材を支持する支持手段を有する本体部と、該本体部の下側に連設された取付け部であって、孔部に取り付けられた冷ケース用支持具の脱落を防止するための脱落防止部で、該脱落防止部の上面の少なくとも一部が該本体部の下面と間隔を介して対向している脱落防止部を有する取付け部と、を有することを特徴とする冷ケース用支持具。」とする。
【００１０】
また、第２には、上記第１の構成において、上記脱落防止部が、横長形状を呈することを特徴とする。よって、長穴状の孔部に対応することが可能となる。
【００１１】
また、第３には、上記第２の構成において、上記本体部に、上記脱落防止部の方向を指示する方向指示手段が設けられていることを特徴とする。よって、本体部に設けられた該方向指示手段を見るだけで、容易に脱落防止部の方向が分かるので、冷ケース用支持具を冷ケースの孔部に取り付ける場合に、容易に取付けが可能であり、一方、該孔部から取り外したりする場合にも、容易に取り外すことが可能となる。
【００１２】
また、第４には、上記第１から第３までのいずれかの構成において、上記支持手段が、上記本体部に設けられた穴部であることを特徴とする。
【００１３】
また、第５には、上記第１から第４までのいずれかの構成において、上記取付け部における脱落防止部は横長形状を呈し、該脱落防止部の平面視における長手方向の長さは、冷ケースに設けられた長穴状の孔部の長手方向の幅以下の大きさを有するとともに、該長穴状の孔部の幅よりも大きい大きさを有し、該取付け部における接続部の平面視における幅は、該長穴状の孔部の短手方向の幅以下の大きさを有していて、該冷ケース用支持具における取付け部を該孔部に挿通した状態で該冷ケース用支持具を回転させることにより、本体部の下面と脱落防止部の上面とで孔部が設けられた部材を挟んだ状態となることにより、冷ケース用支持具が該孔部に取り付けられるように構成されていることを特徴とする。
【００１４】
よって、長穴状の孔部に確実に固定することが可能となり、また、冷ケース用支持具を回転するのみで、孔部への取付けや孔部からの取外しが可能となるので、取付けや取外しが容易となる。
【００１５】
また、第６には、冷ケースに設けられた孔部に取り付けて使用する冷ケース用支持具であって、台座状部と、該台座状部の上側に連設された支柱部で、棒状部材を支持するための穴部を有する支柱部と、を有する本体部と、該本体部の下側に連設された取付け部であって、該本体部の下側から連設された接続部と、該接続部から連設された横長形状の脱落防止部で、該脱落防止部の上面の少なくとも一部が該本体部の下面と間隔を介して対向している脱落防止部と、を有する取付け部と、を有し、該本体部には、脱落防止部の方向を指示する方向指示手段が設けられていることを特徴とする。
【００１６】
この第６の構成の冷ケース用支持具においては、取付け部を冷ケースにおける吸気孔等の孔部（例えば、吸気孔）に挿通し、冷ケース用支持具を回転させる。すると、本体部の下面と脱落防止部の上面とで孔部が設けられた部材を挟んだ状態となって、冷ケース用支持具が孔部に取り付けられる。なお、冷ケース用支持具を孔部に取り付けた状態では、接続部は孔部内に挿通した状態となっている。なお、該接続部は、本体部と脱落防止部とを接続するものである。このようにして、冷ケース用支持具の孔部への取付けが完了したら、本体部の支柱部に設けられた穴部に棒状部材を差し込んで支持させる。この棒状部材は、例えば、商品の商品名や値段等を表示する表示部材を支持可能な部材（これが冷ケース用支持具により支持される被支持部材となる）の一部とする。そして、該部材に表示部材を支持させることにより、商品名や値段等を表示させる。よって、冷ケースにおける孔部、特に、冷気ガスの吸気孔を利用して、商品名や値段等を表示した表示部材を取り付けることができるので、冷ケースの収納部のスペースを減少させることがない。また、本体部の下面と脱落防止部の上面とで孔部が設けられた部材を挟んだ状態となって取り付けられるので、確実に固定することができ、冷ケース用支持具に支持される部材も確実に支持することができる。また、本発明の冷ケース用支持具によれば、冷ケース用支持具における取付け部を孔部に挿入した後に、冷ケース用支持具を回転させるのみで孔部への設置が可能であるので、容易に設置することができる。また、上記脱落防止部が横長形状を呈し、また、本体部には、脱落防止部の方向を指示する方向指示手段が設けられているので、該方向指示手段を見るだけで、容易に脱落防止部の方向が分かるので、冷ケース用支持具を冷ケースの孔部に取り付ける場合に、容易に取付けが可能であり、一方、該孔部から取り外したりする場合にも、容易に取り外すことが可能となる。
【００１７】
なお、第６の構成を以下のようにしてもよい。つまり、「冷ケースに設けられた孔部に取り付けて使用する冷ケース用支持具であって、台座状部と、該台座状部の上側に連設された支柱部で、棒状部材を支持するための穴部を有する支柱部と、を有する本体部と、該本体部の下側に連設された取付け部であって、孔部に取り付けられた冷ケース用支持具の脱落を防止するための脱落防止部で、横長形状を呈し、該脱落防止部の上面の少なくとも一部が該本体部の下面と間隔を介して対向している脱落防止部を有する取付け部と、を有し、該本体部には、脱落防止部の方向を指示する方向指示手段が設けられていることを特徴とする冷ケース用支持具。」とする。
【００１８】
また、第７には、上記第６の構成において、上記方向指示手段が、上記支柱部の側面の両側に設けられた突状部で、上記脱落防止部の長手方向と同じ方向に向けて設けられた突状部であることを特徴とする。よって、突状部が形成されているので、容易に脱落防止部の方向が把握できるとともに、冷ケース用支持具を回転させる場合に、この突状部が指に引っかかり滑ることがない。
【００１９】
また、第８には、上記第６又は第７の構成において、上記取付け部における脱落防止部は横長形状を呈し、該脱落防止部の平面視における長手方向の長さは、冷ケースに設けられた長穴状の孔部の長手方向の幅以下の大きさを有するとともに、該長穴状の孔部の幅よりも大きい大きさを有し、該取付け部における接続部の平面視における幅は、該長穴状の孔部の短手方向の幅以下の大きさを有していて、該冷ケース用支持具における取付け部を該孔部に挿通した状態で該冷ケース用支持具を回転させることにより、本体部の下面と脱落防止部の上面とで孔部が設けられた部材を挟んだ状態となることにより、冷ケース用支持具が該孔部に取り付けられるように構成されていることを特徴とする。
【００２０】
よって、長穴状の孔部に確実に固定することが可能となり、また、冷ケース用支持具を回転するのみで、孔部への取付けや孔部からの取外しが可能となるので、取付けや取外しが容易となる。
【００２１】
なお、上記の各構成において、本体部の下面又は脱落防止部の上面に、突起部を設けて、孔部に対する固着をより強固にするようにしてもよい。
【００２２】
また、第９には、商品の商品名や値段等を表示する表示部材を支持する表示部材支持具であって、上記第４又は第６又は第７又は第８の構成の冷ケース用支持具と、該冷ケース用支持具における本体部に設けられた穴部に挿通可能な差込み部を有し、該表示部材を固着可能な被支持部材と、を有することを特徴とする。
【００２３】
よって、この被支持部材に、商品の商品名や値段等を表示する表示部材を係止する等して固定させることにより、該表示部材を冷ケースに表示することが可能となる。
【００２４】
【発明の実施の形態】
本発明の実施の形態としての実施例を図面を利用して説明する。本発明に基づく冷ケース用支持具Ａは、図１〜図４に示されるように構成され、本体部１０と、取付け部５０とを有している。この冷ケース用支持具Ａは、合成樹脂により一体に形成されている。この冷ケース用支持具は、後述する被支持部材を支持するものである。
【００２５】
ここで、本体部１０は、台座状部２０と、支柱部３０とを有している。この台座状部２０は、直方体形状を呈し、少なくともその底面側は平面状に形成されている。この台座状部２０は、平面視においては略正方形状を呈し、平行な辺部間の幅は、縦方向、横方向ともに同一に形成されている。つまり、図２において、Ｘ方向の幅ａ１とＹ方向の幅ａ２とは同じに形成されている。また、台座状部２０の高さ、つまり、Ｚ方向の幅は、Ｘ方向の幅やＹ方向の幅よりも小さく形成されている。その意味では、台座状部２０は、板状を呈しているともいえる。また、この台座状部２０の底面には、突起部２２が設けられている。この突起部２２は、円柱状を呈していて、掛止部７０（後述）の上面の上方の位置で、台座状部２０の中心線（縦方向の中心線）を介して相対する側に一対設けられている。この突起部２２は、掛止部７０との間で確実に吸気孔（孔部）２１０（図５等参照）に取り付けることができるように設けられている。
【００２６】
また、支柱部３０は、台座状部２０の上面から連設されていて、全体の外観形状としては、円柱状を呈している。
【００２７】
この支柱部３０は、支柱本体部３２と突状部３４とを有している。ここで、支柱本体部３２は、円柱状の外観を呈するとともに、穴部３６が形成されている。なお、厳密には、この支柱本体部３２の外観は、若干テーパの形成された円柱状であり、結果として、円錐台状に形成されている。つまり、支柱本体部３２は、下端から上方に行くに従い若干その径が小さくなるように形成されている。また、この支柱本体部３２の上端の外周には、図４に示すように、アールが形成されている。また、穴部３６は、支柱本体部３２の上端に開口していて、支柱本体部３２の上端から下方に垂直方向に形成されている（図４参照）。このように、支柱本体部３２は、その上端から下端にまで穴部３６が形成されているので、筒状であるといえる。なお、この穴部３６は、上記「棒状部材を支持する支持手段」として機能する。
【００２８】
また、突状部３４は、支柱本体部３２の側面に設けられていて、支柱本体部３２の上端付近から下端にまで形成されていて、縦長に所定の厚さの板状を呈している。なお、この突状部３４は、支柱本体部３２の側面に一対設けられていて、支柱本体部３２の中心線（縦方向の中心線）を介して相対する位置に設けられている。つまり、図２等に示すように、一方の突状部３４−１と他方の突状部３４−２とは、支柱本体部３２の側面における互いに相対する位置に設けられている。この突状部３４は、取付け部５０における掛止部７０の方向を容易に知ることができるようにするために設けられている。この突状部３４は、上記「脱落防止部の方向を指示する方向指示手段」として機能する。
【００２９】
次に、取付け部５０について説明する。この取付け部５０は、本体部１０の下端、すなわち、台座状部２０の下端から連設されていて、接続部６０と掛止部７０とを有している。この取付け部５０は、冷ケースにおける吸気孔に冷ケース用支持具Ａを取り付けるためのものである。
【００３０】
この接続部６０は、台座状部２０の底面に設けられていて、台座状部２０の底面の中央位置に設けられている。この接続部６０は、円柱状を呈していて、台座状部２０の底面と掛止部７０における台座状部２０側の面との間に所定の間隔が形成されるように設けられている。なお、この接続部６０の径は、使用する冷ケースにおける吸気孔の径の大きさ以下の大きさである必要がある。つまり、冷ケース用支持具Ａを冷ケースに使用した場合には、接続部６０が吸気孔内に配設されるので、接続部６０の径は、吸気孔の径の大きさ以下の大きさである必要がある。なお、実際には、接続部６０の径は、吸気孔の径の大きさよりも若干小さいのが好ましい。なお、通常吸気孔は縦長形状であるので、接続部６０の径は当然吸気孔の短手方向の幅以下の大きさである必要がある。例えば、接続部６０の径の大きさは、吸気孔２１０の短手方向の幅ｐの大きさ以下である必要がある（図５（ｂ）参照）。なお、この場合も、実際には、接続部６０の径の大きさは、吸気孔２１０の短手方向の幅ｐよりも小さいことが好ましい。この接続部６０は、本体部１０と掛止部７０とを接続するものであるといえる。
【００３１】
また、掛止部（脱落防止部）７０は、接続部６０の底面に設けられていて、略直方体形状を呈している。この掛止部７０は、横長形状を呈しているといえる。厳密には、掛止部７０は、長手方向の両側は半円柱状を呈し、短手方向の両側は平面状を呈している。また、この掛止部７０の上面側と底面側とは平面状に形成されている。なお、この掛止部７０の長手方向の幅は、図３（ａ）に示すように、下方に行くに従い小さくなるように形成されている。この掛止部７０は、冷ケースにおける吸気孔を挿通できる大きさと形状を有している。例えば、吸気孔が図５等に示すように縦長形状の吸気孔２１０である場合に、掛止部７０の長手方向の長さｂ１は、吸気孔２１０の長手方向の幅ｑ以下の大きさであり、また、掛止部７０の短手方向の長さｂ２は、吸気孔２１０の短手方向の幅ｐ以下の大きさである必要がある。なお、実際には、掛止部７０の長手方向の長さｂ１は、吸気孔２１０の長手方向の幅ｑよりも小さく、また、掛止部７０の短手方向の長さｂ２は、吸気孔２１０の短手方向の幅ｐよりも小さいのが好ましい。なお、当然、掛止部７０の長手方向の長さｂ１は、吸気孔２１０の短手方向の幅ｐよりも大きい必要がある。なお、掛止部７０の上面（すなわち、台座状部２０側の面）と、台座状部の下面（すなわち、掛止部７０側の面）とは所定の間隔を介して対向している。
【００３２】
また、掛止部７０の長手方向は、突状部３４間の方向と一致するように構成されている。つまり、図１〜図３に示すように、掛止部７０の長手方向と、２つの突状部３４を結ぶ方向は、ともにＸ方向を向くように構成されている。これにより、突状部３４間の方向を見れば、掛止部７０の向きを容易に確認することができる。
【００３３】
次に、上記構成の冷ケース用支持具Ａに使用する被支持部材について説明する。つまり、この被支持部材は冷ケース用支持具Ａに支持される部材であり、商品名や値段等を表示した表示部材を支持するためのものである。
【００３４】
すなわち、被支持部材Ｂは、図６に示すように、一対の差込み部１００と、フレーム状部１１０とを有している。この被支持部材Ｂは、鉄等の金属により形成されている。
【００３５】
この差込み部１００は、下側部材１０２と上側部材１０４とを有し、下側部材１０２と上側部材１０４とはともに円柱状を呈し、上側部材１０４の下端は、下側部材１０２の上端から延設されていて、この上側部材１０４は下側部材１０２に対して傾斜して設けられている。つまり、差込み部１００は、全体に略く字状を呈している。差込み部１００における下側部材１０２は、冷ケース用支持具Ａの穴部３６に差し込まれるものであり、被支持部材Ｂが冷ケース用支持具Ａにより支持された状態でがたつかないように、穴部３６に丁度納まる径の大きさを有している。
【００３６】
また、フレーム状部１１０は、棒状部材を横長長方形状の閉ループ状に形成した形状を呈していて、上側部材１１２と、右側部材１１４と、左側部材１１６と、下側部材１１８とを有している。そして、一対の差込み部１００とは、上側部材１１２と接続されている。つまり、一対の差込み部１００が上側部材１１２に固定されることにより、一対の差込み部１００とフレーム状部１１０とが接続されている。なお、一対の差込み部１００は、所定の距離を介して平行に配設されている。特に、フレーム状部１１０の長手方向の中心位置から等距離の位置に各差込み部１００が配設されている。また、フレーム状部１１０における下側部材１１８は、差込み部１００における上側部材１０４に載置された状態又は固定された状態となっている。これにより、フレーム状部１１０は、差込み部１００における下側部材１０２に対して傾斜した向きとなっている。
【００３７】
なお、上記冷ケース用支持具Ａと、被支持部材Ｂとで、表示部材支持具Ｗが構成される。
【００３８】
上記構成の冷ケース用支持具Ａと、被支持部材Ｂの使用状態について説明する。
【００３９】
まず、冷ケース用支持具Ａを冷ケースにおける吸気孔に取り付ける。つまり、図５〜図７に示すように、冷ケースＲにおける収納部Ｓの手前側に吸気孔配設部２００が設けられていて、この吸気孔配設部２００に吸気孔２１０が設けられているので、この吸気孔２１０に冷ケース用支持具Ａを取り付ける。なお、この吸気孔配設部２００は、収納部Ｓの手前側の部材で吸気孔２１０が設けられている板状の部材をいう。なお、この吸気孔配設部２００には、複数の吸気孔２１０が所定間隔で複数連続して設けられている。
【００４０】
冷ケース用支持具Ａの取付けに当たっては、掛止部７０の長手方向と吸気孔２１０の長手方向とを一致させて、掛止部７０を吸気孔２１０に挿通させ、掛止部７０が吸気孔配設部２００の下面側に至るようにする。この状態では、接続部６０が吸気孔２１０に挿通した状態になっている。
【００４１】
そして、本体部１０を回転させて、掛止部７０の長手方向と吸気孔２１０の長手方向とが交差するようにする。なお、好ましくは、掛止部７０の長手方向と吸気孔２１０の長手方向とが直角に交差するようにする。この場合、突状部３４が設けられているので、突状部３４間の方向と吸気孔２１０の長手方向とが直角になるようにすればよい。このようにして、冷ケース用支持具Ａが吸気孔２１０に取り付けられる。なお、台座状部２０の下面には、突起部２２が設けられているので、冷ケース用支持具Ａを確実に吸気孔２１０に固定することができる。
【００４２】
なお、冷ケース用支持具Ａを取り付ける個数は、被支持部材Ｂの差込み部１００の数に応じて決定する。つまり、２つの冷ケース用支持具Ａを所定間隔を介して吸気孔２１０に取り付ける。２つの冷ケース用支持具Ａを取り付ける吸気孔は、差込み部１００間の距離に応じて適宜選択する。
【００４３】
以上のようにして冷ケース用支持具Ａの取付けが完了したら、該冷ケース用支持具Ａに被支持部材Ｂを取り付ける。つまり、被支持部材Ｂにおける各差込み部１００を冷ケース用支持具Ａに挿入して取り付ける。すると、この被支持部材Ｂは、これら２つの冷ケース用支持具Ａにより支持されて立設した状態となる。
【００４４】
このようにして、被支持部材Ｂの取付けが完了したら、商品名や値段等を表示した表示部材（表示物としてもよい）Ｈ（例えば、ポップ広告）をこの被支持部材Ｂのフレーム状部１１０に取り付ける。上記のように、フレーム状部１１０は、差込み部１００における下側部材１０２に対して傾斜した向きとなっているので、フレーム状部１１０は、被支持部材Ｂを立設した状態では、斜め上方を向いた状態となり、よって、取り付けられた表示部材Ｈも斜め上方を向くので、購買者からは見やすくなる。
【００４５】
以上のように、本実施例の冷ケース用支持具Ａと被支持部材Ｂによれば、冷ケースにおける吸気孔を利用して、商品名や値段等を表示した表示部材を取り付けることができるので、冷ケースの収納部のスペースを減少させることがない。また、本実施例の冷ケース用支持具Ａによれば、本体部１０の台座状部２０と取付け部５０の掛止部７０とで吸気孔の周りの部材を挟むようにして、吸気孔の位置に固定するので、確実に固定することができ、支持された被支持部材Ｂも確実に支持することができる。
【００４６】
また、本実施例の冷ケース用支持具Ａによれば、冷ケース用支持具Ａにおける取付け部５０を吸気孔２１０に挿入した後に、冷ケース用支持具Ａを回転させるのみで吸気孔２１０位置への設置が可能であるので、容易に設置することができる。
【００４７】
なお、上記の説明では、冷ケースの吸気孔に上記冷ケース用支持具Ａを取り付けて使用するとして説明したが、冷ケースに設けられた他の孔部に取り付けて使用してもよい。例えば、冷気ガスの吸気孔ではなく、冷気ガスの排気孔に上記冷ケース用支持具Ａを取り付けて使用してもよい。
【００４８】
【発明の効果】
本発明の冷ケース用支持具によれば、冷ケースにおける孔部、特に、冷気ガスの吸気孔を利用して、商品名や値段等を表示した表示部材を取り付けることができるので、冷ケースの収納部のスペースを減少させることがない。また、本体部の下面と脱落防止部の上面とで孔部が設けられた部材を挟んだ状態となって取り付けられるので、確実に固定することができ、冷ケース用支持具に支持される部材も確実に支持することができる。また、本発明の冷ケース用支持具によれば、冷ケース用支持具における取付け部を孔部に挿入した後に、冷ケース用支持具を回転させるのみで孔部への設置が可能であるので、容易に設置することができる。
【００４９】
また、特に、上記脱落防止部が横長形状を呈し、また、本体部には、脱落防止部の方向を指示する方向指示手段が設けられている場合には、該方向指示手段を見るだけで、容易に脱落防止部の方向が分かるので、冷ケース用支持具を冷ケースの孔部に取り付ける場合に、容易に取付けが可能であり、一方、該孔部から取り外したりする場合にも、容易に取り外すことが可能となる。
【００５０】
また、本発明の表示部材支持具によれば、被支持部材に、商品の商品名や値段等を表示する表示部材を係止する等して固定させることにより、該表示部材を冷ケースに表示することが可能となる。
【図面の簡単な説明】
【図１】本発明の実施例に基づく冷ケース用支持具を示す図であり、（ａ）はその上方からの斜視図であり、（ｂ）はその下方からの斜視図である。
【図２】本発明の実施例に基づく冷ケース用支持具を示す図であり、（ａ）はその平面図であり、（ｂ）はその底面図である。
【図３】本発明の実施例に基づく冷ケース用支持具を示す図であり、（ａ）はその正面図及び背面図であり、（ｂ）はその右側面図及び左側面図である。
【図４】本発明の実施例に基づく冷ケース用支持具を示す図であり、（ａ）は図２（ａ）におけるＸ−Ｘ断面図であり、（ｂ）は図２（ａ）におけるＹ−Ｙ断面図である。
【図５】本発明の実施例に基づく冷ケース用支持具の使用状態を示す図であり、（ａ）はその断面図であり、（ｂ）はその底面図である。
【図６】本発明の実施例に基づく冷ケース用支持具の使用状態を示す斜視図である。
【図７】冷ケースの外観を示す斜視図である。
【符号の説明】
Ｗ　表示部材支持具
Ａ　冷ケース用支持具
Ｂ　被支持部材
１０　本体部
２０　台座状部
２２　突起部
３０　支柱部
３２　支柱本体部
３４　突状部
３６　穴部
５０　取付け部
６０　接続部
７０　掛止部
１００　差込み部
１１０　フレーム状部
Ｒ　冷ケース
２００　吸気孔配設部
２１０　吸気孔
Ｈ　表示部材
【図１】
2004081362.tif 000003
【図２】
2004081362.tif 000004
【図３】
2004081362.tif 000005
【図４】
2004081362.tif 000006
【図５】
2004081362.tif 000007
【図６】
2004081362.tif 000008
【図７】
2004081362.tif 000009